(57)【特許請求の範囲】
【請求項１】
遊技に関する制御を行う電子回路基板を収納する基板ボックスと、
前記基板ボックスを一列に複数個保持し、当該基板ボックスを順次抜き差し可能とする開放端を一端に有するボックス保持レールとを備え、
第１の基板ボックスには、第１の連結部が備えられ、
第２の基板ボックスには、前記第１の連結部に直接結合する第２の連結部が備えられ、
第１の連結部と第２の連結部とを前記保持レールに抜き差しする方向に連結することで第１の基板ボックスと第２の基板ボックスとが一体的となされ、
前記ボックス保持レールは、前記開放端が前記基板ボックスの抜き差しを許容される位置と許容されない位置との間で移動可能となるように、遊技機本体が有する基台に移動機構を介して支持されることを特徴とする
基板ボックスの保持構造。
【発明の詳細な説明】
【技術分野】
【０００１】
本発明は、遊技機に搭載される基板ボックスの保持構造に関する。
【背景技術】
【０００２】
近年、パチンコ機等の遊技機はコンピュータで制御されており、このコンピュータは、法令に適合しているか否かの確認等を容易にするため、当たりか否かを判定するメイン基板や、液晶表示を制御する表示用基板や、電力供給用の電源基板など、用途毎の電子回路基板に分割されて遊技機背面に設置されている。
【０００３】
また、これらの電子回路基板は、不正な改造が行われないように透明の基板ボックス内部にそれぞれ別個に収納されており、電子回路基板間における電源の供給や情報の授受は基板ボックスから突出するコネクタに接続されるケーブルを介して行われている。
【０００４】
前記のような構成のパチンコ機などでは、電子回路基板の交換が容易に行えてしまうという問題を有している。例えば、前記電子回路基板の中でもメイン基板は当たりの確率などを司る基板であるため、メイン基板と同等の基板で当たり確率を自由に設定できるような不正なメイン基板を準備しておき、正当なメイン基板と不正なメイン基板とを営業時間中に短時間で交換して、不正に出玉を獲得するという事件も発生している。
【０００５】
そこで、このような出玉に関連するメイン基板を交換するような不正行為を防止する目的で、種々の発明がなされている。例えば、遊技機本体に間隔を置いて平行に固定されたレールと各電子回路基板が収納される基板ボックスの端縁とを係合させ、遊技機本体に基板ボックスを取り付けるようにし、しかも、先にレールと係合されて取り付けられた基板ボックスは、後から取り付けられた基板ボックスと干渉するようにレールが配置されることで、先に取り付けられた基板ボックス単独では取り外せない構造を採用している（特許文献１参照）。従って、重要なメイン基板が収納された基板ボックスを先に取り付けておき、その後に表示用基板などを取り付けることにより、交換の目的となるメイン基板に到達するためには複数個の他の基板を必ず取り外さなければならなくなるため、メイン基板の交換には多大な時間が必要となり、営業時間中の短時間の交換を不可能として不正行為を防止するとしている。
【特許文献１】特開２００１−１４５７６１号公報
【発明の開示】
【発明が解決しようとする課題】
【０００６】
ところが、前記特許文献１に記載されたような基板ボックスの保持構造では、基板ボックスは独立別個に存在するため、ある程度の時間さえあれば、小さな動きでこそこそと各基板ボックスを取り外し、目的の基板ボックスの取り替えができてしまうという問題を有している。
【０００７】
本発明は、上記問題点に鑑みなされたものであり、目的の基板ボックスを交換するために基板ボックスを遊技機から取り外すには大きな動作が必要となり、目的の基板ボックスを交換するには手間がかかる遊技機に用いられる基板ボックスの保持構造を提供することを目的とする。
【課題を解決するための手段】
【０００８】
上記目的を達成するために、本発明に係る基板ボックスの保持構造は、遊技に関する制御を行う電子回路基板を収納する基板ボックスと、前記基板ボックスを一列に複数個保持し、当該基板ボックスを順次抜き差し可能とする開放端を一端に有するボックス保持レールとを備え、第１の基板ボックスには、第１の連結部が備えられ、第２の基板ボックスには、前記第１の連結部に直接結合する第２の連結部が備えられ、第１の連結部と第２の連結部とを前記保持レールに抜き差しする方向に連結することで第１の基板ボックスと第２の基板ボックスとが一体的となされ、前記ボックス保持レールは、前記開放端が前記基板ボックスの抜き差しを許容される位置と許容されない位置との間で移動可能となるように、遊技機本体が有する基台に移動機構を介して支持されることを特徴とする。
【０００９】
これにより、抜き差し方向に連結された基板ボックスを保持レールから抜き差しするには、大きな動作が必要となり、不正な交換を抑止する効果を高めることができる。さらに、複数の基板ボックス同士が連結されて一体的とすることができるため、基板ボックスを遊技機から取り外す際に、取り外し順が最初である基板ボックスをはずそうとすると、該基板ボックスに一体的となっている次順の基板ボックスが追従してくるので、周囲に目立つ大きな動作が必要となる。しかも、基板ボックス同士を分離しないと基板ボックスが交換できない。従って、不正な交換を抑止する効果を高めることが可能となる。
【発明の効果】
【００１０】
目的の基板ボックスを遊技機から取り外して交換するには、抜き差し方向に連結され一体的となった複数個の基板ボックスを保持レールから大きな動作で取り外さなければならず、しかも基板ボックス同士の連結を解除しなければならないため基板ボックスの不正交換を抑止することができる。
【発明を実施するための最良の形態】
【００１１】
以下、本発明の実施形態を遊技機としてのパチンコ機を例に挙げて説明する。
（実施の形態１）
図１は、パチンコホールの台島に取り付けられているパチンコ機を示す斜視図である。
【００１２】
同図に示すように、パチンコ機１００は、パチンコホールの内部に島状に設置されている台島２００に並べて取り付けられており、遊技者は、この台島２００に取り付けられたパチンコ機１００に向かって遊技をする。
【００１３】
台島２００内部では、台島２００に取り付けられる各パチンコ機１００に対してパチンコ玉の供給や回収などが一括して行われている。また、電源の供給や個々のパチンコ機１００を管理する信号の授受に必要なケーブル等も台島の内部を通っている。
【００１４】
また、同図中央のパチンコ機１００が示すように、パチンコ機１００は、パチンコ機本体１０１と外枠１０２とがヒンジを介して接合されており、外枠１０２と台島２００とが固定されている。従って、パチンコ機本体１０１を外枠１０２からヒンジを軸として開放することで、台島２００に取り付けられているパチンコ機本体１０１の背面を遊技者側に露出させることができるようになっている。
【００１５】
なお通常、パチンコ機本体１０１は、外枠１０２に対し施錠されており、鍵を持たない者はパチンコ機本体１０１を開けることはできない。一方鍵を持っている者は、パチンコ機本体１０１を外枠１０２に対して容易に開閉できるものとなっている。これは、パチンコ機の背部で球が詰まっているなどのトラブルに対して作業者が即座に対応するためである。
【００１６】
図２は、本実施形態に係るパチンコ機本体１０１を、ヒンジを軸として外枠１０２から開放した状態のパチンコ機本体１０１を背面から示す斜視図である。また、図３はパチンコ機１００を背面から臨む平面図である。
【００１７】
同図に示すようにパチンコ機１００は、パチンコ機本体１０１とこの外周縁を囲む矩形筒状の外枠１０２とを備えている。パチンコ機本体１０１は、外枠１０２と上下２箇所に設けられたヒンジ金具１０３で接続されており、外枠１０２に対してヒンジ金具１０３を軸として開閉可能となっている。
【００１８】
パチンコ機１００はさらに、内部に電子回路基板が収納される基板ボックス１１０と、前記基板ボックス１１０を一列に複数個、抜き差し可能に保持する一対のボックス保持レール１２２と、前記ボックス保持レール１２２の開放端１２１の移動領域の一部を臨む邪魔部材１３０と、球タンク１０４と、タンクレール１０５とをパチンコ機本体１０１の背面に固定された機構板１０６に備えている。
【００１９】
なお、電子回路基板としては、大当たりか否かの判定等を行うメイン基板や、メイン基板からの指令に基づいて賞球の払い出しを行う払い出し基板や、メイン基板からの指令に基づいて液晶表示装置を用いた演出表示を行う演出基板や、メイン基板からの指令に基づいて装飾用のランプを制御するランプ基板や、電源基板等が挙げられる。
【００２０】
邪魔部材１３０は、機構板１０６から突出状に固定されてボックス保持レール１２２から基板ボックス１１０が取り外されるのを邪魔する固定側邪魔板１３１と、この固定側邪魔板１３１に対し可動状態で接続され、回動しつつ基板ボックス１１０が取り外されるのを邪魔する可動側邪魔板１３２とを備えている（詳細には、図７〜図９参照）。
【００２１】
また、固定側邪魔板１３１と可動側邪魔板１３２とはヒンジで接合されている。そして、固定側邪魔板１３１は、ボックス保持レール１２２の上方近傍の機構板１０６に取り付けられており、可動側邪魔板１３２は、通常の状態ではボックス保持レール１２２の上部を覆うように垂れ下がっている。
【００２２】
このように、邪魔部材１３０を折り曲げることができる構造にしたのは、パチンコ機１００が取り付けられる台島２００の奥行きがあまり無い場合でも、邪魔部材１３０の存在がパチンコ機１００設置の障害にならないようにするためである。
【００２３】
また、可動邪魔板１３２の可動範囲は、可動邪魔板１３２が垂れ下がった状態から固定側邪魔板１３１に対し可動側邪魔板１３２が広がる方向に９０度回動するまでである。これは、可動邪魔部材１３２の邪魔部材１３０としての効果を有効に実現するためである。つまり、固定側邪魔板１３１と可動側邪魔板１３２とのなす角が１８０度より大きくなると、基板ボックス１１０の抜き差しを不可能とする可動側邪魔部材１３２の効果が著しく減殺される。
【００２４】
図４は、ボックス保持レール１２２を含むボックス保持手段１２０を詳細に示す斜視図である。
【００２５】
同図に示すように、ボックス保持手段１２０は、基板ボックス１１０の両側部に設けられる二つの貫通孔１１１にそれぞれ挿通可能な一対のボックス保持レール１２２と、当該ボックス保持レール１２２を基台としての機構板１０６に回動可能に取り付けるヒンジ１２３とを備えている。
【００２６】
前記ボックス保持レール１２２の一端は、基板ボックス１１０を差し込みまた抜き取ることができる開放端１２１を有している。また、他端は一対のヒンジ１２３が取り付けられている。また、ボックス保持レール１２２は、丸パイプであり、基板ボックス１１０に設けられる貫通孔１１１に容易に挿通できる径となされている。本実施形態でボックス保持レール１２２として丸パイプを用いているのは、汎用品が豊富で入手が容易、かつ、加工も容易でコスト低下に寄与するからである。
【００２７】
前記ボックス保持レール１２２の他端に取り付けられるヒンジ１２３は、基台としての機構板１０６に対しボックス保持レール１２２を回動自在に取り付けるための移動機構である。
【００２８】
さらに、ヒンジ１２３は、ラチェット機構を備えており、機構板１０６に対し、ボックス保持レール１２２を段階的に回動できるものとなされている。また、ヒンジ１２３は、機構板１０６に対しボックス保持レール１２２が０度から９０度までは角度が増える方向にしか回動することはできないが、一旦９０度以上にボックス保持レール１２２を回動するとラチェット機構が解除され０度へ戻す方向に回動できるものとなされている。
【００２９】
加えて、ヒンジ１２３は、ボックス保持レール１２２を回動させるとラチェットギアがかみ合う”カチカチ”という音を発すると共に、軸と軸受が回転摺動する際の摩擦音も発する。これはボックス保持レール１２２が回動されていることを他人に報知するためである。
【００３０】
図５は、基板ボックス１１０を詳細に示す斜視図である。
同図に示すように、基板ボックス１１０は、内部に電子回路基板１１２を収納することができる透明な樹脂製の筐体であり、他の基板ボックス１１０と連結することのできる連結部１１３（１１３ａ、１１３ｂ）と、基板ボックス１１０の両側部の高さ方向に軸が平行な二つの貫通孔１１１とを備えている。
【００３１】
図５の上部に記載される基板ボックス１１０は、基板ボックス１１０の上部と下部とにそれぞれ形状の異なる連結部１１３を備えている。
【００３２】
上部に取り付けられている連結部１１３ｂは上部に開口した箱形の雌型であり、基板ボックス１１０に対し突出状に取り付けられている。一方、下部に取り付けられている連結部１１３ａは前記雌型に嵌入できる形状をした雄型であり、基板ボックス１１０に対し突出状に取り付けられている。
【００３３】
このように、基板ボックス１１０の上部と下部に対応する連結部１１３を備えることで、保持レール１２２に抜き差しする方向に複数の基板ボックス１１０を連結することが可能となる。したがって、例えば保持レール１２２への差し入れと同時に基板ボックス１１０同士の連結を行うことができ、基板ボックス１１０同士の連結を別途行う面倒がない。
【００３４】
なお、図５の下部に記載される基板ボックス１１０は、連結される基板ボックス１１０の列端に位置するため、上部に雌型の連結部１１３ｂのみを備えている。
【００３５】
また、雌型の連結部１１３ｂの側壁には、矩形の係合孔１１４が設けられており、雄型の連結部１１３ａの側壁には前記係合孔１１４に係合するかえりを備えた係合鉤１１５が突出状態で設けられている。
【００３６】
この係合孔１１４と係合鉤１１５とは、連結部１１３が連結された状態で係合することで、連結を解除する方向の力に抗することができるものとなされている。
【００３７】
さらに、雄型の連結部１１３ａは、連結部１１３ａの外部に延びるケーブルと電気的に結合している雌コネクタ１１６ｂを備えている。一方雌型の連結部１１３ｂは、連結部１１３ｂの外部に延びるケーブルと電気的に結合し、前記雌コネクタ１１６ｂに嵌入することのできる雄コネクタ１１６ａを備えている。
【００３８】
図６は、連結された連結部１１３を拡大して示す断面図である。
同図に示すように、雄型の連結部１１３ａと雌型の連結部１１３ｂとは嵌入状態で基板ボックス１１０同士を連結する。さらに、雄型連結部１１３ａが備える係合鉤１１５のかえりの部分が雌型連結部１１３ｂの係合孔１１４に係合しているため、基板ボックス１１０同士を引き離す方向に働く力に対抗することができる。従って、基板ボックス１１０同士を引き離したい場合は、係合鉤１１５のかえりを係合孔１１４から抜き出す方向に係合鈎１１５を湾曲させて係合孔１１４と係合鉤１１５のかえりとの係合を解除しつつ、基板ボックス１１０同士を引き離さなければならない。
【００３９】
また、連結部１１３に設けられている雌雄のコネクタ１１６は、連結部１１３が連結状態となることで、雄コネクタ１１６ａと雌コネクタ１１６ｂとが嵌入状態で接続される。そして、雄コネクタ１１６ａと雌コネクタ１１６ｂとの電気的に結合が確保される。
【００４０】
このように、基板ボックス１１０同士を連結することで、各基板ボックス１１０に収納された電子回路基板１１２の間の電気的に結合を確保することができるため、連結部１１３に備えられるコネクタ１１６を介して、電子回路基板１１２に電力を供給したり、電子回路基板１１２同士の情報の授受を行うことが可能となり、別途ケーブルなどを用いて基板ボックス１１０間を接続する必要が無くなる。
【００４１】
次に、メンテナンス時における本実施形態に係る基板ボックスの取り扱いについて説明する。
【００４２】
図７は、パチンコ機本体１０１の側面図である。
同図に示すように、台島２００からパチンコ機本体１０１の背面を露出させた状態では、ボックス保持レール１２２は機構板１０６に沿って起立しており、基板ボックス１１０は一列に連結された状態でボックス保持レール１２２に保持されている。
【００４３】
基板ボックス１１０の連結は、順に基板ボックス１１０をボックス保持レール１２２に差し入れていき、雌型の連結部１１３ｂに雄型の連結部１１３ａを挿入することにより行うことができる。また、事前に基板ボックス１１０同士を連結しておき、これら一体的となった基板ボックス１１０を一度にボックス保持レール１２２に差し入れることも可能である。
【００４４】
同図に示す状態では、ボックス保持レール１２２の開放端１２１が存在する領域は、邪魔部材１３０に覆われているため、ボックス保持レール１２２から基板ボックス１１０が抜き去られることはできない状態となっている。
【００４５】
従って、作業者がメンテナンス等のために基板ボックス１１０を抜き取るためには、ボックス保持レール１２２の開放端１２１をパチンコ機本体１０１から離れる方向に回動させなければならない。
【００４６】
図８は、ボックス保持レール１２２を回動させた当初の状態を示す側面図である。
同図に示すように、ボックス保持レール１２２を回動させる初期状態においては、ボックス保持レール１２２の上方近傍に取り付けられた邪魔部材１３０の可動側邪魔板１３２がボックス保持レール１２２の開放端１２１が存在する領域を覆っているため基板ボックス１１０を抜き取ることはできない。
【００４７】
従って、作業者は、メンテナンスを行うためには、可動側邪魔板１３２がボックス保持レール１２２に届かない位置、すなわち前記基板ボックス１１０が抜き差しできる領域までボックス保持レール１２２を回動させるという大きな動作が必要となる。
【００４８】
そして、図９に示すように、所定の角度以上にボックス保持レール１２２の回動が進むと、ボックス保持レール１２２の開放端１２１が存在する領域から邪魔部材１３０が無くなるため、作業者は、ボックス保持レール１２２から基板ボックス１１０が抜き取り可能となる。
【００４９】
しかし、基板ボックス１１０同士は連結され一体的となっているため、基板ボックス１１０を抜き取るには、全ての基板ボックス１１０を一度に抜き取るという大きな動作を必要とする。さらに、基板ボックス１１０同士の連結を解除するには、係合鉤１１５を曲げつつ基板ボックス１１０同士を分離するという作業が必要となる。
【００５０】
なお、ボックス保持レール１２２はヒンジ１２３のラチェット機構により段階的に回動を停止できるため、作業者は、所望の角度（例えば、機構板１０６に対してボックス保持レール１２２が４５度など）でボックス保持レール１２２を維持した状態で基板ボックス１１０に対してメンテナンス作業をすることができる。
【００５１】
次に、メンテナンスを終了させた作業者は、基板ボックス１１０をボックス保持レール１２２に挿入し、ボックス保持レール１２２を元の起立した状態に戻す。ボックス保持レール１２２を機構板１０６に取り付けるヒンジ１２３は、ラチェット機構を備えているため、そのままではボックス保持レール１２２を元に戻す方向に回動させることはできない。従って、ボックス保持レール１２２を９０度以上に回動しラチェット機構を解除した後、ボックス保持レール１２２を元の起立した状態に戻す。
【００５２】
ここでも、作業者はボックス保持レール１２２を９０度以上に回動させるという大きな動作が必要となる。
【００５３】
最後に、パチンコ機本体１０１を閉ざし、メンテナンス作業は完了する。
以上に記載したような基板ボックス１１０を採用すれば、基板ボックス１１０の保持構造に基づく大きな動作に加えて、基板ボックス１１０同士が連結されたことによる大きな動作が必要となる。従って、正当なメンテナンス行為などであれば、何ら問題なく上記大きな動作を行うことができるが、営業時間中に正当な基板ボックスと不正な基板ボックスとを取り替えるような不正行為に対しては、当該大きな動作が目立つため、不正行為を抑止する十分な効果を発揮することができる。
【００５４】
また、ボックス保持レール１２２の構造は、後に保持した基板ボックス１１０を抜き去らなければ、先に保持した基板ボックス１１０を抜き去ることができない構造であるため、重要なボックス基板を先に保持しておけば、当該基板ボックス１１０を交換するには時間がかかり、不正行為を抑止できるのは勿論である。
【００５５】
なお、重要なボックス基板とは、パチンコ機１００の当たりなどを司るメイン基板が収納されたボックス基板や、賞球の払い出し数を制御する基板が収納されたボックス基板などであるが、パチンコ機１００の下部に溜まったパチンコ玉の静電気からメイン基板などを保護するため、ボックス保持レール１２２に基板ボックス１１０を保持する順番は、比較的静電気に強い電源基板が収納された基板ボックス１１０を保持した後に、メイン基板が収納された基板ボックス１１０を保持するのが望ましい。また、電源基板が収納された基板ボックス１１０は、最下層に位置するため、基板ボックス１１０の上部に雌型の連結部１１３ｂのみが設ければよい。
【００５６】
また、本実施形態ではボックス保持レール１２２をパチンコ機本体１０１に対し可動なものとして説明したが、本発明はこれに限定されるわけではなく、特許文献１に記載されているように、保持レールがパチンコ機本体１０１に固定されている場合でも、同様の作用効果を発揮することができる。
【００５７】
また、本実施形態ではパチンコ機を例示して説明したが、基板ボックスの保持構造は、スロットマシーンや他の遊技機にも適用できるのは勿論である。
【００５８】
（実施の形態２）
次に、他の実施形態に係る基板ボックス１１０の保持構造を説明する。
【００５９】
図１０は、他の構造の連結部１１３を備えた基板ボックス１１０を詳細に示す斜視図である。
【００６０】
図１０に示す基板ボックス１１０は、第１のボックス形成部１１７と第２のボックス形成部１１８との２部材で形成されている。なお、本実施形態以外の基板ボックス１１０も複数の部材で構成されている。
【００６１】
第１ボックス形成部１１７は、一面が開口した透明の箱形状であり、その上面には一端が開口した有底円筒形状の第１ハウジング１３３を上部に外方突出状態で備えている。また、第２ボックス形成部１１８は、前記第１ボックス形成部１１７と同様の透明の箱形状であり、その上面には開口した有底円筒形状の第２ハウジング１３４を備えている。
【００６２】
上記第１ハウジング１３３と第２ハウジング１３４とは、第１ボックス形成部１１７と第２ボックス形成部１１８とで基板ボックス１１０を形成した際、一定の間隔を隔てて同一軸上に開口部を対向させて配置されるものとなっている。そして、この状態のハウジング１３３、１３４が連結部１１３として機能する。
【００６３】
また、第１ボックス形成部１１７は、前記基板ボックス１１０を形成した際に形成される第１ハウジング１３３と第２ハウジング１３４との隙間に挿通可能な厚さを有する舌片状の突出部１３６を前記第１ハウジング１３３の反対側に備えている。この突出部１３６は、厚さ方向に貫通した連結孔１３７を備えており、この連結孔１３７の径は、前記ハウジング１３３、１３４の径と同じとなっている。
【００６４】
図１１は、本実施形態に係る基板ボックス１１０の連結状態を示す斜視図である。
同図に示すように、基板ボックス１１０は、一対のハウジング１３３、１３４の隙間に突出部１３６が挿入された状態で、上下方向に連結される。また、前記ハウジング１３３、１３４は、封入部材１３５を内部に備えており、当該封入部材１３５は、第１ハウジング１３３から突出部１３６の連結孔１３７を通過して第２ハウジング１３４に達する状態で配置されている。
【００６５】
封入部材１３５は、ハウジング１３３、１３４の内径とほぼ同様の径を有する円柱状の剛体であり、同型で円盤状の台座１３９とコイルバネ１３８を介して結合されている。
【００６６】
そして、ハウジング１３３、１３４の内部に封入部材１３５が封入された状態において台座１３９とコイルバネ１３８の付勢力により、前述の状態、すなわち、封入部材１３５が第１ハウジング１３３から突出部１３６の連結孔１３７を通過して第２ハウジング１３４に達する状態に封入部材１３５が維持されている。
【００６７】
上記のようにハウジング１３３、１３４と突出部１３６とが連結している状態で、封入部材１３５が閂状に配置され、しかも、ハウジング１３３、１３４によって封入部材１３５が外部から遮断されているため、一旦このような連結が確立すると、いずれかの連結部１１３であるハウジング１３３、１３４や突出部１３６を非可逆に破壊しなければ連結を解除することができない。
【００６８】
本実施形態における基板ボックス１１０は、ハウジング１３３、１３４を四つ備え、突出部１３６には連結孔１３７を四つ備えている。これは、基板ボックス１１０同士の連結を解除するために一のハウジング１３３、１３４を破壊した場合に、他のハウジング１３３、１３４及び連結孔１３７を用いて再度連結を確立するためである。
【００６９】
図１２は、前記連結状態の確立手順を示す断面図である。
同図（ａ）に示すように、基板ボックス１１０は、第１ボックス形成部１１７と第２ボックス形成部１１８とに分離された状態から連結処理が行われる。
【００７０】
なお、第１ボックス形成部１１７の側壁には鉤溝１４１が設けられており、第２ボックス形成部１１８の側壁には前記鍵溝１４１に係合する鉤１４２が突出して設けられている。これら鍵溝１４１と鉤１４２とが係合することで、基板ボックス１１０を閉ざされた状態に維持することが可能となる。
【００７１】
次に、同図（ｂ）に示すように、第１ボックス形成部１１７の第１ハウジング１３３と他の第１ボックス形成部１１７の突出部１３６とを前記ハウジング１３３の開口部と突出部の連結孔１３７とが重なり合うように配置し、前記第１ボックス形成部１１７に第２ボックス形成部１１８を若干ずれた状態で重ね合わせる。この際、鉤１４２の一部は鍵溝１４１に挿入されており、また、第２ハウジング１３４内には封入部材１３５、圧縮状態のコイルバネ１３８、台座１３９が収納されている。
【００７２】
次に、第１ボックス形成部１１７と第２ボックス形成部１１８とを第１ハウジング１３３と第２ハウジング１３４の軸が一致するまで相対的にスライドさせると、同図（ｃ）に示すように、コイルバネ１３８の付勢力により封入部材１３５が突出部１３６の連結孔１３７を貫通して第１ハウジング１３３に到達し、この状態が維持される。一方鉤１４２と鍵溝１４１が係合する。
【００７３】
上記のような状態になると、ハウジング１３３、１３４と突出部１３６とは封入部材１３５により分離不可能となる。また、第１ボックス形成部１１７と第２ボックス形成部１１８とは封入部材１３５によりスライド不可能となり、鉤１４２と鍵溝１４１との係合を解除することができなくなるため、ボックス形成部１１７、１１８を引き離して基板ボックスを開放することも不可能となる。
【００７４】
従って、一旦基板ボックス１１０を形成し、基板ボックス１１０同士を連結すると、ハウジング１３３、１３４等を破壊して封入部材１３５を除去しなければ、基板ボックス１１０同士の連結を解除し、また、基板ボックス１１０を分離することはできない。
【００７５】
上記のような結合構造にすれば、基板ボックス１１０同士を容易に分離できないため、パチンコ機本体１０１から基板ボックス１１０を抜き差しする動作が大きくなる。さらに、基板ボックス１１０を交換するには、連結部１１３を破壊しなければならないため、手間がかかり、基板ボックス１１０が交換されたかどうかが一目瞭然となる。
【００７６】
（実施の形態３）
さらに、他の実施形態に係る基板ボックス１１０の保持構造を説明する。
【００７７】
図１３は、他の構造の連結部１１３を備えた基板ボックス１１０を詳細に示す斜視図である。
【００７８】
図１４は、連結状態を示す断面図である。
図１３に示すように、本実施形態に係る基板ボックス１１０は、上方に連結部としての連結鉤１５１を突出状に二つ備え、下方に前記連結鉤１５１を挿通して係合することのできる連結部としての連結鉤孔１５２を備えている。また、基板ボックス１１０の側壁には、解除孔１５３が設けられている。
【００７９】
二つの連結鉤１５１は、互いに外向きに突出するかえりを備えたやじり状の形状をしており、互いに近づく方向に若干撓むものとなっている。
【００８０】
本実施形態に係る基板ボックス１１０同士を連結するには次のようにすればよい。まず、基板ボックス１１０同士を近づけて連結鉤１５１をそれぞれの連結鉤孔１５２に挿入する。この状態では、連結鉤１５１が相互に内方に撓んでいる。さらに、基板ボックス１１０同士を近づけ、かえりが連結鍵穴１５２を通過すると連結鉤１５１の撓みが元に戻って、図１４に示すように、かえりと連結鉤孔１５２の側壁とが係合する。以上により連結が完了する。
【００８１】
一方、基板ボックス１１０同士の連結を解除するには次のようにすればよい。すなわち、基板ボックス１１０の側壁に設けた二つの解除孔１５３からそれぞれ棒状物を挿入し、図１４に示す矢印の方向に連結鉤１５１を押すことで、連結鉤１５１を内方に撓ませてかえりと連結鉤孔１５２の側壁との係合を解除する。そしてこの状態を維持しながら基板ボックス１１０同士を引き離せばよい。
【００８２】
以上のような保持構造にすれば、連結部１１３が基板ボックス内部に納まるため、省スペース化を図ることが可能となる。
【００８３】
また、連結を解除するには特殊な棒状部材を必要とし、連結部１１３の係合を解除しつつ基板ボックス１１０を引き離さなければならないため一人での作業が困難になる。従って、基板ボックスを交換するためには大きな動作に加えて複数人の関与が必要となり、さらに不正な交換作業を抑止することが可能となる。
【００８４】
また、前記第１の連結部は、第１のコネクタを備え、前記第２の連結部は、第２のコネクタを備え、前記第１の連結部と第２の連結部とが結合することで前記第１のコネクタと前記第２のコネクタとが電気的に結合されるものとしてもよい。
【００８５】
これにより、ケーブルなどの別部材を必要とすることなく基板ボックスの連結と同時に基板ボックスに収納される電子回路基板同士の導通を図ることができる。
【００８６】
また、前記第１の連結部と第２の連結部とは、一旦結合するといずれかの連結部を破壊しなければ当該結合を解除することができないように非可逆的に結合されるものとしてもよい。
【００８７】
これによれば、連結部を破壊しなければ基板ボックスの交換ができないため、さらに不正な交換の抑止効果を高めることができる。
【産業上の利用可能性】
【００８８】
本発明は、遊技機に適用でき、特にパチンコ機やスロットマシーンの背面部に保持される基板ボックスの保持構造に適用できる。
【図面の簡単な説明】
【００８９】
【図１】パチンコホールの台島に取り付けられているパチンコ機を示す斜視図である。
【図２】開放状態のパチンコ機を背面から示す斜視図。
【図３】チンコ機を背面から示す平面図。
【図４】ボックス保持レールを含むボックス保持手段を詳細に示す斜視図。
【図５】基板ボックスを示す斜視図。
【図６】連結された連結部を拡大して示す断面図。
【図７】パチンコ機本体の側面図。
【図８】ボックス保持レールを回動させた当初の状態を示す側面図。
【図９】ボックス保持レールをさらに回動させた状態示す側面図。
【図１０】他の実施形態に係る基板ボックスを示す斜視図。
【図１１】上記基板ボックスの連結状態を示す斜視図。
【図１２】前記連結状態の確立手順を示す断面図。
【図１３】さらに他の実施形態に係る基板ボックスを示す斜視図。
【図１４】本実施形態に係る連結状態を示す断面図。
【符号の説明】
【００９０】
１００…パチンコ機、１１０…基板ボックス、１２２…ボックス保持レール、１１３…連結部、１１６ａ…雄コネクタ、１１６ｂ…雌コネクタ、１３３…第１ハウジング、１３４…第２ハウジング、１３５…封入部材、１３６…突出部、１３７…連結孔、１３８…コイルバネ、１３９…台座、１５１…連結鉤、１５２…連結鉤孔
【図１】
0004735135.tif 000002
【図２】
0004735135.tif 000003
【図３】
0004735135.tif 000004
【図４】
0004735135.tif 000005
【図５】
0004735135.tif 000006
【図６】
0004735135.tif 000007
【図７】
0004735135.tif 000008
【図８】
0004735135.tif 000009
【図９】
0004735135.tif 000010
【図１０】
0004735135.tif 000011
【図１１】
0004735135.tif 000012
【図１２】
0004735135.tif 000013
【図１３】
0004735135.tif 000014
【図１４】
0004735135.tif 000015